(57)【特許請求の範囲】
【請求項１】
電柱の腕金に装着される本体ケースと、
一端部が当該本体ケースの内部に配置され、中央部が前記本体ケースの外部に配置され、他端部が前記本体ケースの内部に配置される光ファイバと、
前記本体ケースの内部に配置され、前記光ファイバの一端部に光を入力する発光部と、
前記本体ケースの内部に配置され、前記光ファイバの他端部から出力される前記発光部からの光を受光し、光電変換を行って受光量に応じた電気信号を出力する受光部と、
前記受光部の出力が予め設定した値より低くなった場合に検知信号を出力する検知部と、
当該検知部から出力された検知信号に前記電柱を特定するための情報を付加して外部出力する通信部と、を備え、
前記光ファイバの中央部は、前記本体ケースの上方に配置され、上方に湾曲している部分を有することを特徴とする営巣検知装置。
【請求項２】
前記本体ケースは、把持機能を有する間接活線用工具によって把持される把持部を備えることを特徴とする請求項１記載の営巣検知装置。
【請求項３】
前記光ファイバの中央部は、コイル状に形成されており、
前記本体ケースは、前記光ファイバの中央部の下部が挿通される、略円弧形の筒状部材を有することを特徴とする請求項１又は２記載の営巣検知装置。
【発明の詳細な説明】
【技術分野】
【０００１】
本発明は、鳥類等が電柱に営巣していることを検知する営巣検知装置に関する。
【背景技術】
【０００２】
従来、電柱にカラス等の鳥類が営巣すると、この巣が起因となって停電が発生する危険性がある。例えば、電柱の上に、鳥類が巣作りのために針金類を運んできた場合には、この針金が電線に接触してショートするおそれがある。このため、電柱に営巣された場合には、速やかに巣を撤去する必要がある。
【０００３】
そこで、従来、電柱にカラスが寄りつかないようにする技術が提案されている。例えば、特許文献１には、構築物に飛来するカラスに向けて、カラスの習性上、嫌いな黄色の高輝度のＬＥＤ光源を複数、下方から上方に向けて点滅発光することにより、カラスを撃退する、という技術が記載されている。
【先行技術文献】
【特許文献】
【０００４】
【特許文献１】特開２０１３−２３０１２３号公報
【発明の概要】
【発明が解決しようとする課題】
【０００５】
しかしながら、経時によってＬＥＤ光源が汚れることによって発光が弱くなったり、カラスが点滅発光に慣れてきたりすれば、再び電柱に近づいて営巣する可能性がある。また、カラスが営巣を開始すれば、作業員が電柱を巡視して巣を発見するまで巣作りが継続され、その間において巣が起因となって停電が発生する危険性がある。このため、できるだけ早期に、電柱に営巣されていることを検知しかつ作業員等に報知する営巣検知装置の出現が臨まれる。
【０００６】
本発明は、このような問題点を解決し、電柱に営巣されていることを検知しかつ作業員に報知する営巣検知装置を提供することを目的とする。
【課題を解決するための手段】
【０００７】
前記目的を達成するため、本発明は、次に記載する構成を備えている。
【０００８】
（１）  電柱の腕金に装着される本体ケースと、一端部が当該本体ケースの内部に配置され、中央部が前記本体ケースの外部に配置され、他端部が前記本体ケースの内部に配置される光ファイバと、前記本体ケースの内部に配置され、前記光ファイバの一端部に光を入力する発光部と、前記本体ケースの内部に配置され、前記光ファイバの他端部から出力される前記発光部からの光を受光し、光電変換を行って受光量に応じた電気信号を出力する受光部と、前記受光部の出力が予め設定した値より低くなった場合に検知信号を出力する検知部と、当該検知部から出力された検知信号に前記電柱を特定するための情報を付加して外部出力する通信部と、を備え、前記光ファイバの中央部は、前記本体ケースの上方に配置され、上方に湾曲している部分を有することを特徴とする営巣検知装置。
【０００９】
（１）によれば、本体ケースを電柱の腕金における鳥類が営巣しそうな場所に取り付ける。その後、電柱の腕金に鳥類が営巣すると、巣作りの素材の重量によって光ファイバの中央部が更に湾曲することにより、受光部における受光量が低下するため、受光部からの電気出力が低下する。そして、検知部が、受光部の電気出力が予め設定した値より低くなった場合に検知信号を出力し、この検知信号を通信部が電柱を特定するための情報を付加して外部出力する。通信部から送信された情報を電力供給会社が受信することによって、電力供給会社側で営巣されている電柱を把握することが可能になり、巣の撤去等の措置を早急に行うことが可能になる。
【００１０】
（２）  （１）において、前記本体ケースは、把持機能を有する間接活線用工具によって把持される把持部を備えることを特徴とする営巣検知装置。
【００１１】
（２）によれば、間接活線工法によって営巣検知装置を電柱の腕金に設置することが可能になり、作業員の作業場の安全性が向上する。
【００１２】
（３）  （１）、（２）において、前記光ファイバの中央部は、コイル状に形成されており、前記本体ケースは、前記光ファイバの中央部の下部が挿通される、略円弧形の筒状部材を有することを特徴とする営巣検知装置。
【００１３】
（３）によれば、通常時における光ファイバの中央部の形状を安定させることができるため、例えば、風による影響で光ファイバの中央部が変形しようとしても、その変形を抑えることが可能になる。これにより、営巣検知装置の誤動作を低減することができる。
【発明の効果】
【００１４】
本発明によれば、電柱に営巣されていることを早期に検知しかつ作業員に報知する営巣検知装置を提供することが可能になる。
【図面の簡単な説明】
【００１５】
【図１】本発明の一実施形態における営巣検知装置１の外観を示す斜視図である。
【図２】本発明の一実施形態における営巣検知装置１の外観を示す図である。
【図３】本発明の一実施形態における営巣検知装置１の電気系の構成を示す説明図である。
【図４】営巣検知装置１の設置例を示す図である。
【図５】腕金１０２における営巣検知装置１の配置を示す図である。
【発明を実施するための形態】
【００１６】
以下、本発明の一実施形態について、図面を参照しながら説明する。
図１は、本発明の一実施形態における営巣検知装置１の外観を示す斜視図、図２（ａ）は、図１の側面図、図２（ｂ）は、図１の平面図、図３は、営巣検知装置１の電気系の構成を示す説明図である。
本発明の一実施形態における営巣検知装置１は、図１に示す本体ケース１０と、光ファイバ２０と、図３に示す発光部３０と、受光部４０と、検知部５０と、通信部６０と、電源部７０と、を備えている。
【００１７】
本体ケース１０は、上部が開放された直方体形のケース部１２と、ケース部１２の上部に取り付けられ、ケース部１２の開口を開閉する蓋部１４とによって構成される。
【００１８】
ケース部１２の内部には、図３に示す発光部３０、受光部４０、検知部５０、通信部６０及び電源部７０が収納される。また、図１に示すケース部１２の下面の中央部には、下方に延びる板状の把持部１２ａが立設されている。この把持部１２ａは、一般にヤットコと称されている把持機能を有する間接活線用工具によって把持される。
【００１９】
蓋部１４は、ケース部１２の開口に被せる矩形の板状部材１４ａと、この板状部材１４ａの上面に形成された支持部１４ｂによって構成される。支持部１４ｂは、一対の支持脚１５ａ、１５ｂと、筒状部材に相当する円弧状のパイプ１６と、によって構成される。一対の支持脚１５ａ、１５ｂは、板状部材１４ａの板面から立設しており、板状部材１４ａの中央部に、矩形の中心を挟むように配置されている。パイプ１６は、光ファイバ２０が通る貫通孔を備えており、パイプ１６の両端部は、一対の支持脚１５ａ、１５ｂの先端部に固定される。この際、パイプ１６は、板状部材１４ａ側に湾曲するように固定される。また、支持脚１５ａの近傍に、それぞれ貫通孔１４ｃ（図２（ｂ）参照）が形成され、支持脚１５ｂの近傍に、それぞれ貫通孔１４ｄ（図２（ｂ）参照）が形成されている。
【００２０】
光ファイバ２０は、パイプ１６に通される。更に、パイプ１６における支持脚１５ａ側の開口から延びる光ファイバ２０の端部は、貫通孔１４ｄに挿入され、支持脚１５ｂ側の開口から延びる光ファイバ２０の端部は、貫通孔１４ｃに挿入される。このため、光ファイバ２０の両端部は、貫通孔１４ｃ、１４ｄに挿入されて、本体ケース１０の内部に位置付けられる。更に、光ファイバ２０の中央部は、一巻きのコイル状に形成され、光ファイバ２０の中央部の下部はパイプ１６に挿通され、光ファイバ２０の中央部の上部は本体ケース１０の外部に配置される。なお、光ファイバ２０としては、可撓性が大きいものが望ましい。
【００２１】
図３において、発光部３０は、例えばＬＥＤからなり、本体ケース１０の内部に、光ファイバ２０の一端面に対向するように設置される。受光部４０は、光電変換素子からなり、本体ケース１０の内部に、光ファイバ２０の他端面に対向するように設置される。このため、発光部３０からの光が、光ファイバ２０を介して受光部４０に送られる。受光部４０は、光ファイバ２０の他端面から出力される光を受光し、光電変換を行って受光量に応じた電気エネルギーの電気信号を出力する。
【００２２】
検知部５０は、受光部４０の出力を監視し、出力が所定値以下になった場合に検知信号を発生するものである。通信部６０は、検知信号に電柱を特定するための情報を付加して外部出力するものである。
【００２３】
電源部７０は、発光部３０、受光部４０、検知部５０及び通信部６０に電源を供給する。電源部７０としては、例えば、電池が適用可能である。
【００２４】
このように構成された営巣検知装置１は、図４に示すように、電柱１００の腕金１０２に取り付けられる。図４に示す例は、電柱１００の頂部に設置されている２本の腕金１０２、１０２の間に営巣検知装置１を取り付けたものである。
【００２５】
作業員は、図示しない間接活線用工具を操作して、まず、２本の腕金１０２、１０２の所定部位に一対の固定金具１０２ａ、１０２ａ（図５参照）を互いに対向するように固定する。これにより、固定金具１０２ａ、１０２ａの内側に、営巣検知装置１を載置することが可能なスペースが形成される。次に、作業員は、図示しない間接活線用工具を操作して、把持部１２ａを把持しながら、本体ケース１０を２本の腕金１０２、１０２の間に挿入する。更に、腕金１０２、１０２に沿って一対の固定金具１０２ａ、１０２ａ側に移動させ、一対の固定金具１０２ａ、１０２ａ側に移動させて、営巣検知装置１を固定金具１０２ａ、１０２ａの内側に載置する。そして、一対の固定金具１０２ａ、１０２ａに営巣検知装置１を固定することにより、営巣検知装置１が電柱１００に設置される。
【００２６】
営巣検知装置１が電柱１００に設置されたとき、図５に示すように、光ファイバ２０の中央部が、２本の腕金１０２、１０２の上面よりも上方に突出している。すなわち、一対の固定金具１０２ａ、１０２ａは、光ファイバ２０の中央部が２本の腕金１０２、１０２の上面よりも上方に突出する位置で営巣検知装置１を支持するように、設計されている。
【００２７】
次に、営巣検知装置１の動作について説明する。
例えば、図５に示すように、カラスが巣作りのための素材を２本の腕金１０２、１０２上に運び込み、営巣を開始したとする。素材の一部が光ファイバ２０の中央部に載置されると、素材からの圧力あるいは重量により、湾曲している光ファイバ２０が更に湾曲する。光ファイバ２０が更に湾曲すると、曲げによる光損失が発生するため、受光部４０における受光量が低下する。受光部４０は、受光量に応じた電気エネルギーを検知部５０に出力する。そして、検知部５０が、受光部４０の出力が予め設定した値より低くなった場合に検知信号を出力する。検知信号を受信した通信部６０は、検知信号に電柱を特定するための情報を付加して外部出力する。
【００２８】
通信部６０から出力された検知信号は、情報ネットワーク（図示せず）を介して、電力供給会社に送られる。具体例として、電柱１００から電力を引き込んでいる需要家の中にスマートメータ（図示せず）を配備している需要家がいる場合には、営巣検知装置１からの検知信号をその需要家のスマートメータに送信し、スマートメータ経由で電力供給会社に検知信号を送る。
【００２９】
電力供給会社においては、検知信号が出力された営巣検知装置１が設置されている電柱１００を特定し、作業員を現地に派遣する。そして、作業員が電柱１００を調査し、営巣が行われていた場合には、腕金１０２、１０２から巣作りのための素材を撤去する作業を行う。
【００３０】
以上説明したように構成された本実施形態によれば、巣作りの素材によって光ファイバ２０の中央部が湾曲することにより、受光部４０における受光量が低下する。そして、検知部５０が、受光部４０の出力が予め設定した値より低くなった場合に検知信号を出力し、この検知信号を通信部６０が電柱を特定するための情報を付加して外部出力する。そして、通信部から送信された情報を電力供給会社が受信することによって、電力供給会社側で営巣されている電柱を把握することが可能になる。これにより、巣の撤去等の措置を早急に行うことが可能になる。
【００３１】
また本実施形態によれば、間接活線工法によって営巣検知装置１を電柱１００の腕金１０２に設置することが可能になり、設置作業における作業員の安全性が向上する。
【００３２】
また本実施形態によれば、光ファイバ２０の中央部の下部が挿通されるパイプ１６を有することにより、通常時における光ファイバ２０の中央部の形状を安定させることができる。このため、例えば、風による影響で光ファイバ２０の中央部が変形しようとしても、その変形を抑えることが可能になる。これにより、営巣検知装置１の誤動作を低減することができる。
【００３３】
以上、本発明の実施形態について説明したが、本発明の実施形態は、上述した実施形態に限るものではない。例えば、上述した実施形態においては、光ファイバ２０を１回巻いてなるコイル状に形成しているが、数回巻いてなるコイル状に形成してもよく、更には、半円形（アーチ形）に形成してもよい。要は、巣作りの素材の重さによって湾曲するように、光ファイバ２０の中央部を腕金１０２、１０２よりも上方に突出させるのであれば、光ファイバ２０の中央部の形状は問わない。
【００３４】
また、検知部５０は、受光部４０の出力が予め設定した値より低くなった時点で検知信号を出力するのではなく、受光部４０の出力が予め設定した値より低くなった状態が所定時間（例えば、２４時間）継続した場合に、検知信号を出力するようにしてもよい。これにより、例えば、風雨による飛来物（例えば、小枝や葉）が光ファイバ２０に当たることによって瞬間的に光ファイバ２０が湾曲した場合に、営巣検知装置１から検知信号が出力されることを防止することができる。
【００３５】
上述した実施形態においては、受光部４０の受光量が予め設定した値より低くなった場合に、検知部５０が検知信号を出力しているが、それに限らず、まず、作業員が、営巣検知装置１の使用開始当初における受光部４０の受光量を求め、この受光量を基準値として検知部５０の記憶部（図示せず）に設定する。そして、検知部５０が、基準値に対する受光量の低下率を求め、この低下率が予め設定した値より低くなった場合に検知信号を出力するようにしてもよい。上述した実施形態によれば、図１に示すように、光ファイバ２０が初期状態においても湾曲しているが、複数の営巣検知装置１がある場合に、全ての営巣検知装置１の光ファイバ２０が同じように湾曲しているとは限らない。このため、初期状態における受光部４０の受光量が、個々の営巣検知装置１において異なる場合がある。そこで、上述したように、営巣検知装置１の使用開始当初に受光量の基準値を設定し、受光量の低下率に基づいて検知部５０に検知信号を出力させることにより、光ファイバ２０が、初期の湾曲状態から更に湾曲した場合に、検知部５０に検知信号を出力させることが可能になる。
【符号の説明】
【００３６】
１  営巣検知装置
１０  本体ケース
１２  ケース部
１２ａ  把持部
１４  蓋部
１４ａ  板状部材
１４ｂ  支持部
１４ｃ、１４ｄ  貫通孔
１５ａ、１５ｂ  支持脚
１６  パイプ
２０  光ファイバ
３０  発光部
４０  受光部
５０  検知部
６０  通信部
７０  電源部
１００  電柱
１０２  腕金
【図１】
0005931970.tif 000002
【図２】
0005931970.tif 000003
【図３】
0005931970.tif 000004
【図４】
0005931970.tif 000005
【図５】
0005931970.tif 000006